(57)【要約】貼付部材１１と通気性部材１３との間には、通路接続部材２０が設けられている。通路接続部材２０において、第１板材２１の第１凹溝２２と第２板材２５の第２凹溝２６との対向配置によって構成される孔部２８には、チューブ部材１５が挿入されている。このチューブ部材１５の内部空間が吸引通路１５ａを構成している。チューブ部材１５の端部１５ｂには、円環状の水封部材３０が設けられている。水封部材３０は、連続気孔を有するとともに水分に触れることにより連続気孔が塞がれる材質で形成されている。チューブ部材１５が水分を吸引してその水分が水封部材３０に至ると、水封部材３０の連続気孔が塞がれて、そのチューブ部材１５を介してそれ以上水分が吸引されることは抑制される。
2018056060.tif 000002
【特許請求の範囲】
【請求項１】
陰圧源と、
一方の面に粘着性を有する貼付部材と、
前記貼付部材の一方の面側に配置された通気性を有する通気性部材と、
前記貼付部材及び前記通気性部材の間に設けられる複数の吸引通路であって、各吸引通路の一方端が前記貼付部材と前記通気性部材によって形成される空間に連通する、前記複数の吸引通路と、
前記複数の吸引通路の他方端と前記陰圧源とを接続する排気通路とを備え、
前記複数の吸引通路のそれぞれには、通気性を有するとともに水分に触れることにより通気性が失われる水封部材が設けられている
ことを特徴とする陰圧閉鎖療法器具。
【請求項２】
前記複数の吸引通路は、所定の放射中心を中心として放射状に延びているとともに、各吸引通路の放射中心側の端部が前記排気通路に接続されており、
前記複数の吸引通路の前記所定の放射中心は、前記通気性部材の面に沿う所定方向において前記通気性部材の中心よりも一方側に寄った位置に位置している
ことを特徴とする請求項１に記載の陰圧閉鎖療法器具。
【請求項３】
筺体と、
前記筺体の内部に区画された前記排気通路と、
前記排気通路と前記筺体の外部とを連通する複数の孔部と、
を有する通路接続部材であって、
前記複数の孔部には複数のチューブ部材がそれぞれ配設され、
前記複数のチューブ部材の内部空間は、前記吸引通路を構成することを特徴とする、前記通路接続部材をさらに備える、
ことを特徴とする請求項１又は２に記載の陰圧閉鎖療法器具。
【請求項４】
前記通路接続部材は、
前記吸引通路より前記筺体に流入した空気を前記筺体の外へ排出するための排気口を有する第１板材と、当該第１板材に対向配置された第２板材とを備え、
前記第１板材には、前記排気通路と連続するように複数の第１凹溝が設けられており、
前記第２板材には、前記複数の第１凹溝とそれぞれ対向するように複数の第２凹溝が設けられており、
前記複数の第１凹溝と当該複数の第１凹溝に対向する前記複数の第２凹溝とによって、前記複数の孔部が構成されており、
前記水封部材は、前記複数の孔部に設けられている
ことを特徴とする請求項３に記載の陰圧閉鎖療法器具。
【請求項５】
前記陰圧源は圧電ポンプであって、
前記圧電ポンプは、前記貼付部材と前記通気性部材との間に配置されている
ことを特徴とする請求項１〜４のいずれか一項に記載の陰圧閉鎖療法器具。
【請求項６】
前記水封部材は、吸水性高分子、ＰＶＡスポンジ、吸水性繊維、及び疎水性メンブレンから選ばれる少なくとも１つの材料で構成されている
ことを特徴とする請求項１〜５のいずれか一項に記載の陰圧閉鎖療法器具。
【請求項７】
前記通気性部材は、ガーゼで構成されている
ことを特徴とする請求項１〜６のいずれか一項に記載の陰圧閉鎖療法器具。
【発明の詳細な説明】
【技術分野】
【０００１】
本発明は、陰圧閉鎖療法器具に関する。
【背景技術】
【０００２】
特許文献１に記載の陰圧閉鎖療法器具は、患部に貼り付けられるフィルム状の貼付部材と、その貼付部材の一方の面側に配置されるガーゼとを備えている。また、貼付部材の一方の面側には、チューブの一端部が配置されている。チューブの他端部は、気体を吸引するポンプに接続されている。貼付部材を患部に貼り付けた状態でポンプを駆動して気体を吸引することで、貼付部材と患部との間の閉鎖空間が陰圧にされる。
【先行技術文献】
【特許文献】
【０００３】
【特許文献１】特開２０１６−１３４５８号公報
【発明の概要】
【発明が解決しようとする課題】
【０００４】
特許文献１に記載の陰圧閉鎖療法器具を用いて陰圧閉鎖療法を行っている際には、患部から血液等の水分が滲みでてくる。このような水分がポンプに流入すると、ポンプの吸引能力の低下や故障の原因となる。特許文献１に記載の陰圧閉鎖療法器具は、チューブの途中に水分を捕集して溜めておくための捕集容器が設けられている。しかし、このような捕集容器を設けると、陰圧閉鎖療法器具に用いられるポンプの大型化は避けられない。
【課題を解決するための手段】
【０００５】
上記課題を解決するため、本発明は、陰圧源と、一方の面に粘着性を有する貼付部材と、前記貼付部材の一方の面側に配置された通気性を有する通気性部材と、前記貼付部材及び前記通気性部材の間に設けられる複数の吸引通路であって、各吸引通路の一方端が前記貼付部材と前記通気性部材によって形成される空間に連通する、前記複数の吸引通路と、前記複数の吸引通路の他方端と前記陰圧源とを接続する排気通路とを備え、前記複数の吸引通路のそれぞれには、通気性を有するとともに水分に触れることにより通気性が失われる水封部材が設けられている。【０００６】
上記の構成によれば、患部から滲みでた水分が吸引通路により吸引されると、その水分が当該吸引通路に設けられた水封部材に触れることになる。そして、水封部材が水分に触れることにより当該水封部材の通気性が失われて、その吸引通路を介しては空気を吸引しにくくなる。したがって、水分を吸引してしまった吸引通路から、それ以上水分が吸引されることを抑制できる。その結果、水分を分離して貯めておくための容器等の構成を設けなくても、ポンプ内に水分が流入することを抑制でき、ポンプの大型化を抑制できる。【０００７】
なお、上記の構成では、複数の吸引通路が設けられている。これら吸引通路のうちのいずれかを介した空気の吸引ができなくなっても他の吸引通路から空気を吸引できるので、貼付部材と患部との間の閉鎖空間を陰圧に維持できる。【０００８】
上記の発明において、前記複数の吸引通路は、所定の放射中心を中心として放射状に延びているとともに、各吸引通路の放射中心側の端部が前記排気通路に接続されており、前記複数の吸引通路の前記所定の放射中心は、前記通気性部材の面に沿う所定方向において前記通気性部材の中心よりも一方側に寄った位置に位置していてもよい。【０００９】
上記の構成によれば、通気性部材の面方向における一方側には吸引通路の放射中心が位置していて、その近傍では吸引通路が比較的に密に配置されている。その一方で、貼付部材の面方向における他方側には、一方側ほど吸引通路が密に配置されていない。そのため、この構成の陰圧閉鎖療法器具を使用する際には、通気性部材の面方向における他方側を患部における創傷に当てて使用することが想定され、その他方側において多くの水分が滲みだしてくる可能性が高い。そして、上記構成では、吸引通路が放射状に延びているため、通気性部材の面方向における一方側にも他方側にも吸引通路が延びている。そして、仮に通気性部材の面方向における他方側の部分で局所的に多くの水分が滲みだしてきても、一方側に延びている吸引通路がその水分を吸引してしまう可能性は低い。したがって、全ての吸引通路の水封部材の連続気孔が塞がれてしまって、貼付部材と患部との間の閉鎖空間を陰圧に維持できなくなるといった事態は生じにくい。【００１０】
上記の発明において、陰圧閉鎖療法器具は、筺体と、前記筺体の内部に区画された前記排気通路と、前記排気通路と前記筺体の外部とを連通する複数の孔部とを有する通路接続部材であって、前記複数の孔部には複数のチューブ部材がそれぞれ配設され、前記複数のチューブ部材の内部空間は前記吸引通路を構成する、前記通路接続部材をさらに備えてもよい。【００１１】
上記の構成によれば、通路接続部材の複数の孔部に複数のチューブ部材をそれぞれ配設するという比較的に単純な構造で、排気通路と複数の吸引通路との連通が実現できる。したがって、排気通路に連通する複数の吸引通路を備える陰圧閉鎖療法器具の製造コストがかさむことを抑制できる。【００１２】
上記の発明において、前記通路接続部材は、前記吸引通路より流入した空気を前記筺体の外へ排出するための排気口を有する第１板材と、当該第１板材に対向配置された第２板材とを備え、前記第１板材には、前記排気通路と連続するように複数の第１凹溝が設けられており、前記第２板材には、前記複数の第１凹溝とそれぞれ対向するように複数の第２凹溝が設けられており、前記複数の第１凹溝と当該複数の第１凹溝に対向する前記複数の第２凹溝とによって、前記複数の孔部が構成されており、前記水封部材は、前記複数の孔部に設けられている。【００１３】
上記の構成によれば、例えばチューブ部材の内部に水封部材を充填しなくても、第１板材の第１凹溝と第２板材の第２凹溝との間に水封部材を配置するという比較的に簡便な作業で、水封部材を吸引通路に設けることができる。その結果、水封部材を吸引通路に設けるための製造工程が複雑化することを抑制できる。【００１４】
上記の発明において、前記排気通路に接続された圧電ポンプを備え、前記圧電ポンプは、前記貼付部材と前記通気性部材との間に配置されていてもよい。
上記の構成によれば、貼付部材と通気性部材との間に圧電ポンプが内蔵されているので、貼付部材と患部との間の閉鎖空間の外部に外部ポンプを設けたり、その外部ポンプに繋ぐための管を設けたりする必要がない。したがって、陰圧閉鎖療法器具の小型化、取り回しのよさに寄与できる。【００１５】
なお、前記水封部材は、吸水性高分子、ＰＶＡスポンジ、吸水性繊維、及び疎水性メンブレンから選ばれる少なくとも１つの材料で構成されるとよい。また、前記通気性部材は、ガーゼで構成されているとよい。
【発明の効果】
【００１６】
本発明によれば、陰圧閉鎖療法器具に用いられるポンプの大型化を抑制しつつ、患部から滲みでた水分がポンプに流入することを抑制できる。
【図面の簡単な説明】
【００１７】
【図１】陰圧閉鎖療法器具の断面図。
【図２】図１における２−２線断面図。
【図３】通路接続部材の斜視図。
【図４】通路接続部材の分解斜視図。
【図５】通路接続部材の断面図。
【図６】圧電ポンプの断面図。
【図７】圧電ポンプが駆動しているときの断面図。
【図８】圧電ポンプが駆動しているときの断面図。
【図９】変更例の陰圧閉鎖療法器具の断面図。
【発明を実施するための形態】
【００１８】
以下、陰圧閉鎖療法器具の実施形態を図１〜図８にしたがって説明する。なお、以下の説明では、陰圧閉鎖療法器具を患部に貼り付けた際の患部側を下側、それとは反対側を上側として説明する。
【００１９】
図１に示すように、陰圧閉鎖療法器具は、ポリエチレン等の透明な樹脂により形成されたフィルム状の貼付部材１１を備える。図２に示すように、貼付部材１１は、平面視すると略長方形状になっている。貼付部材１１の下側面は粘着性を有していて、当該貼付部材１１を患部（皮膚）に貼り付けることができるように構成された粘着面１１ａである。
【００２０】
図１に示すように、貼付部材１１の下側には、布状の第１ガーゼ１２が配置されている。第１ガーゼ１２は、平面視すると略長方形状になっていて、縦横の寸法が貼付部材１１の縦横の寸法よりも小さくなっている。また、第１ガーゼ１２は、平面視した場合に貼付部材１１からはみ出さないように配置されている。第１ガーゼ１２の上側面は、貼付部材１１の粘着面１１ａに貼り付けられている。第１ガーゼ１２は通気性及び吸湿性を有しており、患部から滲みでたある程度の量の水分を吸収する。
【００２１】
図１に示すように、貼付部材１１の下側であって第１ガーゼ１２のさらに下側には、布状の第２ガーゼ１３が配置されている。第２ガーゼ１３は、平面視すると略長方形状になっていて、縦横の寸法が第１ガーゼ１２と同一になっている。第２ガーゼ１３は、平面視したときに第１ガーゼ１２と全体が重なり合うように配置されている。また、第２ガーゼ１３の上面における周縁は、図示しない接着剤により第１ガーゼ１２の下面における周縁に固定的に接着されている。第２ガーゼ１３は通気性及び吸湿性を有しており、患部から滲みでたある程度の量の水分を吸収する。なお、この実施形態では、第２ガーゼ１３が通気性部材に相当する。
【００２２】
図１に示すように、上下方向において第１ガーゼ１２及び第２ガーゼ１３の間には、複数のチューブ部材１５が設けられている。チューブ部材１５は、ポリエチレン等の樹脂により管状に形成されている。図２に示すように、複数のチューブ部材１５は、貼付部材１１の面方向において放射中心Ｃを中心として放射状に延びている。この実施形態では、８本のチューブ部材１５が放射中心Ｃを中心とする周方向に略４５度間隔で設けられている。各チューブ部材１５における放射中心側の端部１５ｂ（基端または内端と呼ぶことがある）は、通路接続部材２０の内部に至っている。なお、各チューブ部材１５の内部空間は、吸引通路１５ａを構成する。各チューブ部材１５において端部１５ｂとは反対側の先端１５ｃ（外端と呼ぶことがある）は、貼付部材１１と第２ガーゼ１３によって形成される空間１４内に配置され、当該空間１４と連通している。
【００２３】
図３及び図４に示すように、通路接続部材２０は、第１板材２１と、第１板材２１の下側に対向配置された第２板材２５とによって構成される筺体２０ａを含むことができる。これら第１板材２１及び第２板材２５の間に水封部材３０が配置される。第１板材２１及び第２板材２５は例えば円板状であり、第１板材２１及び第２板材２５は同じフットプリントを有することができる。第１板材２１の下側面には、複数の第１凹溝２２が設けられている。第１凹溝２２は、断面視すると略半円状になっている。第１凹溝２２は、第１板材２１の面方向において、第１板材２１の中心から放射状に延びている。この実施形態では、８つの第１凹溝２２が第１板材２１の周方向に略４５度間隔で設けられている。第１板材２１の上側面には、上側に向かって突出するように円筒状の排気口２３が設けられている。排気口２３は、チューブ部材１５より筺体２０ａに流入した空気を筺体２０ａの外へ排出するように構成されている。排気口２３は、第１板材２１の面方向において第１板材２１の中心に設けられている。排気口２３の内部は、第１板材２１を厚み方向に貫通して第１板材２１の下側面に開口している。
【００２４】
第２板材２５は、第１板材２１と同一径の円板状になっている。第２板材２５の上側面には、複数の第２凹溝２６が設けられている。第２凹溝２６は、断面視すると略半円状になっている。第２凹溝２６は、第２板材２５の面方向において、第２板材の中心から放射状に延びている。この実施形態では、８つの第２凹溝２６が第２板材２５の周方向に略４５度間隔で設けられている。第２板材２５は、その面方向において、当該第２板材２５の中心が第１板材２１の中心と一致するように配置されている。また、第２板材２５は、当該第２板材２５の第２凹溝２６と第１板材２１の第１凹溝２２とが対向するように、第１板材２１に対して位置決めされている。図３及び図５に示すように、通路接続部材２０には、第１板材２１の第１凹溝２２と第２板材２５の第２凹溝２６との対向配置によって、断面視略円形状の孔部２８が形成されている。
【００２５】
図４に示すように、水封部材３０は、円環状になっているとともに上下方向の厚みがチューブ部材１５の直径よりも大きくなっている。水封部材３０は、面方向において、その円環の中心が第１板材２１の中心と一致するように配置されている。水封部材３０は、連続気孔を有する多孔質性であり、吸水性高分子材料（例えば、ポリアクリル酸ナトリウム）で形成されている。なお、多孔質性の吸水性高分子材料は、吸水性高分子材料に一旦水分を吸収させた後に凍結乾燥で水分を昇華させたり、発泡剤で発泡させつつモノマーを重合させたりすることにより得ることができる。
【００２６】
図５に示すように、水封部材３０は、第１板材２１及び第２板材２５の間に挟まれてこれらによって上下に圧縮されている。ここで、第１板材２１と第２板材２５との間の上下方向の間隔は、第１凹溝２２及び第２凹溝２６が設けられていない平坦部分においては比較的に短く、第１凹溝２２及び第２凹溝２６が設けられている孔部２８においては比較的に長い。したがって、水封部材３０のうち、第１板材２１及び第２板材２５の平坦部分で挟まれている箇所においては、強く圧縮されて内部の連続気孔が潰されている。したがって、水封部材３０は、平坦部分で挟まれている箇所では通気性をほとんど有していない。一方、水封部材３０のうち、第１凹溝２２及び第２凹溝２６に挟まれている箇所においては、圧縮の程度が小さく内部の連続気孔が完全には潰されていない。したがって、水封部材３０は、孔部２８の内部では通気性を有している。第１板材２１と第２板材２５との間の空間であって、水封部材３０よりも径方向内側の空間３０ａは、第１板材２１の排気口２３の内部空間２３ａと連通している。この空間３０ａは、排気口２３の内部空間２３ａとともに排気通路を構成する。第１板材２１の平坦部分と第２板材２５の平坦部分との間には、図示しない接着剤が充填されていて、第１板材２１及び第２板材２５が互いに上下方向に離間しないようになっている。
【００２７】
通路接続部材２０の各孔部２８には、チューブ部材１５の放射中心側の端部１５ｂが挿入されている。この実施形態では、チューブ部材１５は、通路接続部材２０の内部において孔部２８（第１凹溝２２、第２凹溝２６）に沿って延びているため、チューブ部材１５の放射中心Ｃは、面方向において、第１板材２１の中心及び第２板材２５の中心と一致している。チューブ部材１５の放射中心側の端部１５ｂは、水封部材３０の外周面に当接している。すなわち、チューブ部材１５の内部空間である吸引通路１５ａの端部に水封部材３０が設けられている。
【００２８】
図２に示すように、通路接続部材２０は、第２ガーゼ１３の長手方向（図２において左右方向）において、第２ガーゼ１３の中央よりも一方側（図２において右側）に寄せて配置されている。上述したとおり、チューブ部材１５の放射中心Ｃは、面方向において、第１板材２１の中心及び第２板材２５の中心と一致しているため、チューブ部材１５の放射中心Ｃも、第２ガーゼ１３の長手方向において、第２ガーゼ１３の中央よりも一方側に寄っている。
【００２９】
図１に示すように、通路接続部材２０の上側には、陰圧源が取り付けられている。本実施形態では、陰圧源は貼付部材１１と患部との間の閉鎖空間の空気を外部へと排出するための圧電ポンプ４０である。圧電ポンプ４０は、図６に示すように、圧電ポンプ４０は、平面視で正方形状の板材を複数層積層することにより構成されている。なお、図６においては、各層の厚み関係を単純化して描いており、実際の圧電ポンプ４０の各層の厚みと整合していないことがある。
【００３０】
圧電ポンプ４０を構成する複数の板材のうち最も下側に位置する底板部材４１の中央には、圧電ポンプ４０の内部に空気を導くための吸入口４１ａが設けられている。吸入口４１ａは、平面視円形状になっている。円形状の吸入口４１ａの内径は、通路接続部材２０の排気口２３の外径と略同一となっていて、この吸入口４１ａの内側には、通路接続部材２０の排気口２３が接続できるようになっている。底板部材４１の上側には、板状の第１通路構成部材４２が積層されている。
【００３１】
第１通路構成部材４２には、当該第１通路構成部材４２の中央から外側へと向けて延びる複数（図６においては２つ）の第１吸入通路４２ａが設けられている。第１吸入通路４２ａは、中央側の部分において底板部材４１の吸入口４１ａと連通している。第１通路構成部材４２の上側には、板状の第１セパレータ４３が積層されている。
【００３２】
第１セパレータ４３には、当該第１セパレータ４３を貫通する複数（図６においては２つ）の貫通孔４３ａが設けられている。貫通孔４３ａは、平面視円形状になっている。貫通孔４３ａは、第１通路構成部材４２における第１吸入通路４２ａの外側の端部に対応する位置に設けられていて、第１吸入通路４２ａに連通している。第１セパレータ４３の上側には、板状の下枠部材４４が積層されている。
【００３３】
下枠部材４４には、当該下枠部材４４を貫通する複数（図６においては２つ）の貫通孔４４ａが設けられている。貫通孔４４ａは、第１セパレータ４３の貫通孔４３ａと同一径の円形状になっていて、当該貫通孔４３ａと対向する位置に設けられている。下枠部材４４の中央部には、円形状の開口部４４ｂが設けられている。開口部４４ｂの直径は、正方形状の下枠部材４４の一辺の長さの半分以上になっている。この実施形態では、開口部４４ｂの直径は、正方形状の下枠部材４４の略３分の２になっている。下枠部材４４の上側には、ダイアフラム板４５が積層されている。
【００３４】
ダイアフラム板４５は、可撓性のある金属板により構成されている。ダイアフラム板４５には、当該ダイアフラム板４５を貫通する複数（図６においては２つ）の貫通孔４５ａが設けられている。貫通孔４５ａは、下枠部材４４の貫通孔４４ａと同一径の円形状になっていて、当該貫通孔４４ａと対向する位置に設けられている。ダイアフラム板４５の下面には、円板状の圧電素子５０が設けられている。圧電素子５０の外径は、下枠部材４４の開口部４４ｂの内径よりも小さくなっている。圧電素子５０は、ダイアフラム板４５の下面における中央に取り付けられていて、下枠部材４４の開口部４４ｂ内に収容されている。圧電素子５０は、板状の圧電セラミックスの両面に電極板を貼り付けたユニモルフ型（モノモルフ型）の素子である。ダイアフラム板４５の上側には、板状の上枠部材４６が積層されている。
【００３５】
上枠部材４６には、当該上枠部材４６を貫通する複数（図６においては２つ）の貫通孔４６ａが設けられている。貫通孔４６ａは、ダイアフラム板４５の貫通孔４５ａと同一径の円形状になっていて、当該貫通孔４５ａと対向する位置に設けられている。上枠部材４６の中央部には、円形状の開口部４６ｂが設けられている。開口部４６ｂの直径は、下枠部材４４の開口部４４ｂの直径と同一になっている。また、開口部４６ｂは、面方向において、下枠部材４４の開口部４４ｂと重なり合う位置に設けられている。上枠部材４６の上側には、板状の第２セパレータ４７が積層されている。
【００３６】
第２セパレータ４７には、当該第２セパレータ４７を貫通する複数（図６においては２つ）の貫通孔４７ａが設けられている。貫通孔４７ａは、上枠部材４６の貫通孔４６ａと同一径の円形状になっていて、当該貫通孔４６ａと対向する位置に設けられている。なお、この実施形態では、第１セパレータ４３の貫通孔４３ａ、下枠部材４４の貫通孔４４ａ、ダイアフラム板４５の貫通孔４５ａ、上枠部材４６の貫通孔４６ａ、及び第２セパレータ４７の貫通孔４７ａが互いに連通しており、これらによって、第１通路構成部材４２の第１吸入通路４２ａから上側へと延びる連通路４０ａが構成されている。第２セパレータ４７の中央には、当該第２セパレータ４７を貫通する円形状のブロア孔４７ｂが設けられている。ブロア孔４７ｂの内径は、上枠部材４６の開口部４６ｂの内径よりも小さくなっている。第２セパレータ４７の下面と、上枠部材４６における開口部４６ｂの内周面と、ダイアフラム板４５の上面とによって、ブロア室Ｓが区画されている。そして、第２セパレータ４７のブロア孔４７ｂは、ブロア室Ｓに連通している。第２セパレータ４７の上側には、板状の第２通路構成部材４８が積層されている。
【００３７】
第２通路構成部材４８には、当該第２通路構成部材４８の中央から外側へと向けて延びる複数（図６においては２つ）の第２吸入通路４８ａが設けられている。第２吸入通路４８ａは、外側の部分において第２セパレータ４７の貫通孔４７ａ（連通路４０ａ）と連通している。第２吸入通路４８ａは、中央側の部分において第２セパレータ４７のブロア孔４７ｂと連通している。第２通路構成部材４８の上側には、板状の天板部材４９が積層されている。
【００３８】
天板部材４９には、圧電ポンプ４０の内部から空気を吐出するための吐出口５５が設けられている。吐出口５５は、上側に向かって突出する円筒状になっている。吐出口５５の内部は、天板部材４９を厚み方向に貫通して天板部材４９の下側面に開口している。吐出口５５の内径は、第２セパレータ４７のブロア孔４７ｂと同一径の円形状になっている。また、吐出口５５の下側の開口は、第２通路構成部材４８の第２吸入通路４８ａを間に挟んで、第２セパレータ４７のブロア孔４７ｂと対向している。図１に示すように、吐出口５５は、第１ガーゼ１２及び貼付部材１１を貫通して、貼付部材１１の上側面（陰圧閉鎖療法器具の外面）に開口している。
【００３９】
図１及び図２に示すように、上下方向において第１ガーゼ１２及び第２ガーゼ１３の間には、圧電ポンプ４０を駆動するための駆動回路６０が設けられている。駆動回路６０には、圧電ポンプ４０の圧電素子５０に電力を供給するバッテリやその圧電素子５０への印加電圧を制御するための制御回路等が内蔵されている。また、駆動回路６０には、当該駆動回路６０のバッテリから圧電素子５０への電力供給の開始・停止を切り替えるためのスイッチ６１が設けられている。スイッチ６１は、押圧する度に電力供給の開始・停止が切り換わる押しボタンスイッチである。
【００４０】
図２に示すように、駆動回路６０は、第２ガーゼ１３の長手方向において、通路接続部材２０及び圧電ポンプ４０よりも一方側（通路接続部材２０が寄っている側）に配置されている。すなわち、駆動回路６０は、通路接続部材２０及び圧電ポンプ４０よりも端に寄せて配置されている。また、駆動回路６０は、第２ガーゼ１３の面方向において、通路接続部材２０に対して離間している。なお、駆動回路６０と圧電ポンプ４０の圧電素子５０とは、図示しない信号線及び電源線を介して電気的に接続されている。
【００４１】
以上のように構成された陰圧閉鎖療法器具の作用について説明する。先ず、圧電ポンプ４０の動作について説明する。
圧電ポンプ４０の圧電素子５０に電圧が印加されていない状態では、図６に示すように、圧電素子５０及びダイアフラム板４５が撓んでなく、略平坦な状態である。この状態において、駆動回路６０から所定の電圧が圧電素子５０に印加されると、図７に示すように、圧電素子５０が、その幅方向中央側が下側へと突出するように撓む。これに伴いダイアフラム板４５も、その幅方向中央側が下側へと突出するように撓む。このとき、ダイアフラム板４５の上側に区画されているブロア室Ｓの容積が大きくなるため、吸入口４１ａ、第１吸入通路４２ａ、連通路４０ａ、第２吸入通路４８ａ、及びブロア孔４７ｂを介してブロア室Ｓに空気が流入する。
【００４２】
その後、駆動回路６０からそれまでとは逆の電圧が圧電素子５０に印加されると、図８に示すように、圧電素子５０が、その幅方向中央側が上側へと突出するように撓む。これに伴いダイアフラム板４５も、その幅方向中央側が上側へと突出するように撓む。このとき、ダイアフラム板４５の上側に区画されているブロア室Ｓの容積が小さくなるため、ブロア孔４７ｂを介してブロア室Ｓから空気が流出する。第２吸入通路４８ａにおいては、空気が幅方向外側から中央側（ブロア孔４７ｂ側）へと流れているため、ブロア室Ｓから流出した空気が第２吸入通路４８ａの幅方向中央側から外側へと逆流しにくい。その一方で、ブロア孔４７ｂに対して吐出口５５の下側の開口が対向配置されているため、ブロア室Ｓからブロア孔４７ｂを介して流出した空気は、吐出口５５から速やかに外部へと吐出される。駆動回路６０から圧電素子５０へと、所定の周波数の交流電圧が供給されることにより、上記一連の動作が繰り返し実行される。
【００４３】
次に、上記の陰圧閉鎖療法器具を用いて陰圧閉鎖療法を行った際の作用を説明する。
陰圧閉鎖療法を行う際には、上記のように構成された陰圧閉鎖療法器具における貼付部材１１の下側面を患部（皮膚）に貼り付ける。ここで、図２に示すように、上記実施形態の陰圧閉鎖療法器具においては、通路接続部材２０及び圧電ポンプ４０が、第２ガーゼ１３の長手方向一方側（図２において右側）に寄せて配置されている。そのため、第２ガーゼ１３の長手方向他方側（図２において左側）には、通路接続部材２０や圧電ポンプ４０等が配置されていない部分がある。そこで、この第２ガーゼ１３の長手方向他方側の部分が患部における創傷表面に接するように、貼付部材１１を患部に貼り付ける。
【００４４】
貼付部材１１を患部に貼り付けて貼付部材１１と患部との間に閉鎖空間を形成した後、貼付部材１１の上側から駆動回路６０のスイッチ６１を押圧することにより、圧電ポンプ４０を駆動させる。圧電ポンプ４０が駆動されると、各チューブ部材１５を介して閉鎖空間内の空気が吸引されて外部に排出される。その結果、貼付部材１１と患部との間の閉鎖空間が陰圧になる。
【００４５】
上記のように陰圧閉鎖療法を行っていると、患部から血液等の水分が滲みでてくる。滲みでた水分の多くは、第１ガーゼ１２及び第２ガーゼ１３に吸収されて保持されるが、滲み出た水分の量が第１ガーゼ１２や第２ガーゼ１３の吸水能を越えると、一部の水分がチューブ部材１５を介して圧電ポンプ４０側へと吸引される。水分がチューブ部材１５内部の吸引通路１５ａを通って通路接続部材２０内部の水封部材３０に至ると、水封部材３０におけるチューブ部材１５との当接箇所においてその水分が吸収される。水封部材３０が水分を吸収して部分的に膨潤すると、水封部材３０の内部に形成されている連続気孔が塞がれる。その結果、水封部材３０は、チューブ部材１５との当接部分において通気性を失い、水分を吸引したチューブ部材１５の放射中心側の端部１５ｂが膨潤した水封部材３０によって閉塞された状態となる。それ以後、そのチューブ部材１５を介して空気及び水分が吸引されることはなく、圧電ポンプ４０にまで水分が達することは抑制される。
【００４６】
ところで、本実施形態の水封部材３０は円環状のワンピース部材であるため、水封部材３０へ至った水分の量が多量であれば、水封部材３０のチューブ部材１５との当接部位だけでなく、水封部材３０の全体が膨潤する可能性もある。しかし、上述したとおり、ある程度の量の水分がチューブ部材１５を介して吸引されると、そのチューブ部材１５の端部１５ｂが水封部材３０によって塞がれて、それ以上水分が吸引されることが抑制される。したがって、一部のチューブ部材１５から水分が吸引されたことに起因して、全てのチューブ部材１５の端部１５ｂが膨潤した水封部材３０によって塞がれることは考えにくい。したがって、一部のチューブ部材１５が水分を吸引しても、水分を吸引していない他のチューブ部材１５を介して空気を吸引することができ、貼付部材１１と患部との間の閉鎖空間の陰圧が維持される。
【００４７】
上記実施形態によれば、以下の効果を奏することができる。
・上記実施形態では、患部から滲みでた水分がチューブ部材１５を介して吸引されると、その水分がチューブ部材１５の端部１５ｂに設けられた水封部材３０に触れて吸収される。そして、水封部材３０が水分を吸収することにより連続気孔が塞がれて、一度水分を吸引したチューブ部材１５を介しては再び空気及び水分を吸引できなくなる。したがって、一度水分を吸引してしまったチューブ部材１５から、それ以上水分が吸引されることを抑制できる。その結果、特許文献１に記載の陰圧閉鎖療法器具のように水分を分離して貯めておくための容器等の構成を設けなくても、圧電ポンプ４０内に水分が流入することを抑制でき、陰圧閉鎖療法器具の大型化を抑制できる。
【００４８】
・上記実施形態では、チューブ部材１５（吸引通路１５ａ）の放射中心Ｃ、すなわち、通路接続部材２０の中心が、第２ガーゼ１３の長手方向一方側に寄っている。そのため、第２ガーゼ１３の長手方向の他方側には、通路接続部材２０や圧電ポンプ４０といった硬質の物体が存在せず、また、チューブ部材１５もそれほど密に配置されていない。したがって、第２ガーゼ１３の長手方向他方側を、患部における創傷表面に当たる箇所として使用することができ、また、このように使用すれば、通路接続部材２０やチューブ部材１５が患部における創傷に当たってしまうことを抑制できる。
【００４９】
・上記実施形態では、複数のチューブ部材１５が放射状に延びているため、第２ガーゼ１３の面方向におけるどこかの部分で局所的に多くの水分が滲みだしてきても、その水分が滲みだしている部分とは反対側に延びているチューブ部材１５からは水分は吸引されにくく、そのチューブ部材１５が膨潤した水封部材３０によって塞がれにくい。したがって、全てのチューブ部材１５が膨潤した水封部材３０によって塞がれて、貼付部材１１と患部との間の閉鎖空間を陰圧に維持できなくなるといった事態は生じにくい。
【００５０】
特に、上記実施形態では、上述したとおり、チューブ部材１５の放射中心Ｃが第２ガーゼ１３の長手方向の一方側に配置されているため、放射中心Ｃから第２ガーゼ１３の長手方向一方側に延びるチューブ部材１５が水分を吸引してしまうことをより確実に抑制できる。
【００５１】
・上記実施形態では、通路接続部材２０の孔部２８にチューブ部材１５が連通されているという比較的に単純な構造により、チューブ部材１５の内部空間である吸引通路１５ａと、水封部材３０の径方向内側の空間３０ａ及び排気口２３の内部空間２３ａで構成される排気通路とが接続されている。そのため、例えば、１本の管状の部材にそれぞれチューブ部材１５を個別に接続するといった構造のものに比較して、簡便に、排気通路と吸引通路１５ａとの接続を実現できる。したがって、複数のチューブ部材１５（吸引通路１５ａ）を採用するにあたって、陰圧閉鎖療法器具の製造コストがかさむことを抑制できる。
【００５２】
・上記実施形態では、通路接続部材２０において、第１板材２１と第２板材２５との間に挟み込むことにより水封部材３０をチューブ部材１５（吸引通路１５ａ）の端部１５ｂに配置している。したがって、例えば、チューブ部材１５それぞれの内部に水封部材３０を充填するのに比較して、簡便に吸引通路１５ａに水封部材３０を設けることができる。
【００５３】
・上記実施形態では、８つのチューブ部材１５に対して、１つの水封部材３０を設けているため、チューブ部材１５毎に水封部材３０を設けるのに比較して、部品点数の低減が図れる。また、例えば水封部材３０が過度に小さいと、圧電ポンプ４０が空気を吸引する際に水封部材３０が空気とともに圧電ポンプ４０に異物として吸引されることもある。この点、上記実施形態の水封部材３０は、排気口２３の大きさに対して相応に大きいので、水封部材３０が圧電ポンプ４０に吸引されることは考えにくい。
【００５４】
・水封部材３０が水分を吸収した状態において、当該水封部材３０の連続気孔が完全に塞がっていなくてもよい。少なくとも、水封部材３０の連続気孔の一部が塞がって、水封部材３０の通気性が低下するのであれば、その水封部材３０が設けられたチューブ部材１５（吸引通路１５ａ）を介してさらなる水分が吸引されることは抑制される。
【００５５】
・上記実施形態では、第１ガーゼ１２と第２ガーゼ１３との間に圧電ポンプ４０が内蔵されているため、外部ポンプを接続する必要がない。したがって、陰圧閉鎖療法器具と外部ポンプとを繋ぐ管を設ける必要がなく、陰圧閉鎖療法器具の小型化、取り回しのよさに寄与できる。また、圧電ポンプ４０は、小型であるがゆえに、その内部の第１吸入通路４２ａ、連通路４０ａ、第２吸入通路４８ａ、及びブロア室Ｓの容積が小さく、水分を吸引してしまったときに性能の低下や故障等が起きやすい。このような圧電ポンプ４０を使用した陰圧閉鎖療法器具に、水封部材３０によって水分を吸引したチューブ部材１５を塞ぐ構成を適用することは、非常に効果的である。
【００５６】
・上記実施形態では、第２ガーゼ１３の面方向において、通路接続部材２０と駆動回路６０とを離間して配置している。したがって、駆動回路６０が発した熱が通路接続部材２０の水封部材３０に伝達され、水封部材３０の吸水性に悪影響を及ぼすおそれを低減できる。
【００５７】
上記実施形態は、次のように変更することができる。
・貼付部材１１、第１ガーゼ１２、及び第２ガーゼ１３の平面視形状は長方形状でなくてもよい。例えば、正方形状や円形状であってもよい。また、貼付部材１１、第１ガーゼ１２、及び第２ガーゼ１３は、直平面状のものでなくてもよく円弧状に湾曲していてもよい。これら貼付部材１１、第１ガーゼ１２、及び第２ガーゼ１３の形状は、使用が想定される患部の大きさや部位等を勘案して決定すればよい。
【００５８】
・第１ガーゼ１２及び第２ガーゼ１３に代えて他の材質の部材を設けてもよい。例えば、布状でない脱脂綿や合成樹脂で形成された不織布であってもよい。各チューブ部材１５を介した空気の吸引ができる程度の通気性を有しているのであれば、どのような材質であっても適用でき得る。
【００５９】
・各チューブ部材１５、通路接続部材２０、圧電ポンプ４０、及び駆動回路６０が貼付部材１１に触れたときに貼付部材１１に穴が開いたり破れたりすることが適切に抑制できるのであれば、第１ガーゼ１２を省略することもできる。
【００６０】
・チューブ部材１５（吸引通路１５ａ）の数は、８つに限らない。チューブ部材１５は、複数設けられているのであれば、７つ以下であっても９つ以上であってもよい。
・上記実施形態では、複数のチューブ部材１５を、放射中心Ｃを中心とする周方向において所定角度間隔（４５度間隔）で配置したが、各チューブ部材１５の周方向の間隔は問わない。仮に、各チューブ部材１５の周方向の間隔が等間隔でなくても、放射中心Ｃから径方向に複数のチューブ部材１５が延びているならば、チューブ部材１５は放射状に延びているといえる。
【００６１】
・さらに、複数のチューブ部材１５は、放射状に延びていなくてもよい。各チューブ部材１５（吸引通路１５ａ）が排気通路に接続されているのであれば、例えば、複数のチューブ部材１５が互いに平行に延びていてもよい。
【００６２】
・上記実施形態では、チューブ部材１５の端部１５ｂが水封部材３０に当接していたが、必ずしも当接していなくてもよい。なお、この場合、チューブ部材１５の端部１５ｂと水封部材３０との間は、孔部２８の内部空間によって吸引通路が構成されることになる。
【００６３】
・第２ガーゼ１３の面方向における通路接続部材２０の位置、すなわち、第２ガーゼ１３の面方向におけるチューブ部材１５（吸引通路１５ａ）の放射中心Ｃの位置は、上記実施形態の例に限らない。例えば、チューブ部材１５（吸引通路１５ａ）の放射中心Ｃが第２ガーゼ１３の長手方向における中央に位置していてもよい。
【００６４】
・通路接続部材２０（第１板材２１及び第２板材２５）の平面視形状は円形に限らない。例えば、圧電ポンプ４０の平面視形状に合わせて正方形状にしてもよいし、それ以外の形状であってもよい。
【００６５】
・通路接続部材２０における第１板材２１の第１凹溝２２は、必ずしも第１板材２１の中心にまで至っていなくてもよい。少なくとも、第１板材２１の径方向において、水封部材３０の内縁に相当する位置にまで至っていればよい。この点、第２板材２５の第２凹溝２６についても同様である。
【００６６】
・通路接続部材２０の孔部２８にチューブ部材１５が挿入されていなくてもよい。この場合、通路接続部材２０の孔部２８のうち、水封部材３０よりも径方向外側の部分が吸引通路を構成する。
【００６７】
・水封部材３０の形状は、円環状に限らない。通路接続部材２０の孔部２８の内部を充填できる形状であればよく、例えば、円板状であってもよい。
・複数のチューブ部材１５（吸引通路１５ａ）に対して１つの水封部材３０を設けるのではなく、チューブ部材１５毎に別個の水封部材３０を設けてもよい。例えば、上記実施形態の水封部材３０を、周方向に８等分してもよい。また、例えば、図９に示すように、各チューブ部材１５の通路接続部材２０とは反対側の端部１５ｃに、当該チューブ部材１５の開口を塞ぐように水封部材３５を設けてもよい。さらに、通路接続部材２０の孔部２８の内径と同程度の直径の球状の水封部材を孔部２８それぞれの内部に配置してもよい。
【００６８】
・通路接続部材２０の筺体２０aは第１板材２１及び第２板材２５で構成するのではなく、ワンピース部材で構成してもよい。この場合、水封部材３０を第１板材２１及び第２板材２５によって挟み込むことに代えて、ワンピース部材である筺体２０aの各孔部２８にタイトフィットするように構成された水封部材３０を各孔部２８に充填することができる。
【００６９】
・通路接続部材２０に代えて、圧電ポンプ４０に接続される管材を設けてもよい。この場合、各チューブ部材１５それぞれを管材に接続するとともに、各チューブ部材１５の内部に水封部材を充填すればよい。
【００７０】
・連続気孔を有し、水分に触れることによりその連続気孔が塞がれるような材質であれば、水封部材３０の材質は問わない。例えば、ポリビニルアルコール製のスポンジ（ＰＶＡスポンジ）や吸水性繊維であってもよい。これらの材質であっても、水分に触れたときにその水分が内部に吸収されて連続気孔が塞がれる。また、疎水性メンブレン製のフィルタであってもよい。疎水性メンブレンは、膜厚方向に孔（連続気孔）が形成されていて、水分がない状態では通気性を有する。この疎水性メンブレンに水分が触れると、疎水性メンブレンに対する表面張力により孔（連続気孔）の内部に水分が浸入できず、水分が疎水性メンブレンの表面において孔（連続気孔）を塞ぐことになる。
【００７１】
・圧電ポンプ４０に直接チューブ部材１５を接続することもできる。例えば、圧電ポンプ４０の複数の連通路４０ａにチューブ部材１５を接続してもよい。この場合、チューブ部材１５の内部空間、圧電ポンプ４０の連通路４０ａ、第２吸入通路４８ａによって、吸引通路が構成される。そして、圧電ポンプ４０の吐出口５５の内部が排気通路を構成する。また、この変更例においては、チューブ部材１５の内部空間、圧電ポンプ４０の連通路４０ａ、及び第２吸入通路４８ａのいずれかに、水封部材を充填すればよい。
【００７２】
・実施形態では、第１ガーゼ１２及び第２ガーゼ１３の間に配置される圧電ポンプ４０を陰圧源として使用したが、陰圧源は、圧電ポンプ４０に限らない。第１ガーゼ１２及び第２ガーゼ１３の間に配置できる大きさで、且つ、貼付部材１１と患部との間の閉鎖空間を陰圧に維持できる性能を有しているのであれば、どのようなポンプであっても陰圧源として適用でき得る。
【００７３】
・圧電ポンプ４０に代えて外部ポンプを設けてもよい。このように外部ポンプを設けた場合であっても、水封部材３０の存在により水分が外部ポンプの内部に吸引されることは適切に抑制される。そのため、外部ポンプに水分を捕集するための捕集容器を設ける必要はなく、外部ポンプの小型化に寄与できる。なお、圧電ポンプ４０に代えて外部ポンプを設けた場合、貼付部材１１と通気性部材１３によって形成される空間１４内にはポンプが備わっていないことになる。
【００７４】
・駆動回路６０を、例えば通路接続部材２０と圧電ポンプ４０との間に配置したり、圧電ポンプ４０の上側に積層したりしてもよい。この場合、第２ガーゼ１３の面方向において駆動回路６０を設けるためのスペースを確保する必要がない。
【００７５】
・駆動回路６０は、必ずしも貼付部材１１と患部との間の閉鎖空間内に配置されていなくてもよい。例えば、貼付部材１１の外面に駆動回路６０が取り付けられていて、圧電ポンプ４０と信号線及び電源線を介して電気的に接続されていてもよい。このように、駆動回路６０が外部に設けられていれば、一旦患部に貼り付けた貼付部材１１を剥がすことなく、駆動回路６０のバッテリ等を交換することが可能となる。
【００７６】
・実施形態では、貼付部材１１の下側面の全体が粘着面１１ａであるが、貼付部材１１の下側面は粘着面と非粘着面とを含むことができる。例えば、粘着面は貼付部材１１の下側面の少なくとも外縁に設けられる帯状の粘着面であり得る。
【００７７】
本開示は以下の構成を包含する。限定のためでなく理解の補助として実施形態の構成要素の参照符号を付した。
［付記１］患者の患部の一部または全部を覆うように前記患者に貼り付けて使用される陰圧閉鎖療法器具であって、
患者接触面を有する通気性最内層（１３）と、
患者の皮膚に粘着するように構成される粘着面（１１ａ）を含む最外層（１１）であって、前記通気性最内層（１３）と前記最外層（１１）との間に空間（１４）が形成されるように、前記通気性最内層（１３）の全体を覆う前記最外層（１１）と、
前記通気性最内層（１３）と前記最外層（１１）との間の前記空間（１４）に配置される複数のチューブ部材（１５）であって、平面視において前記通気性最内層（１３）の異なる位置に分散して配置される複数の先端開口と、当該複数の先端開口とは反対側の複数の末端開口とを含む前記複数のチューブ部材（１５）と、
前記通気性最内層（１３）と前記最外層（１１）との間の前記空間（１４）の空気を前記複数のチューブ部材（１５）を通して前記最外層（１１）の外に排出するように、前記複数のチューブ部材（１５）と気密的に連通するように構成される陰圧源（４０）と、
前記複数のチューブ部材（１５）の前記複数の末端開口の下流かつ前記陰圧源（４０）の上流に配置され、ドライ状態において通気性を有し、ウェット状態において通気性を失う液体感知材料ブロック（３０）とを備え、
前記複数のチューブ部材（１５）のうちの一つ以上のチューブ部材の末端開口から流れ出たときに、その流れ出た液体によって前記液体感知材料ブロック（３０）は局所的にウェット状態となり、前記液体感知材料ブロック（３０）のウェット部分が、前記液体の流れ出た前記一つ以上のチューブ部材の前記末端開口を選択的に塞ぎ、前記液体の流れ出た前記一つ以上のチューブ部材の前記末端開口から前記陰圧源（４０）への気体および液体の流通を遮断することを特徴とする、陰圧閉鎖療法器具。
【符号の説明】
【００７８】
１１…貼付部材（最外層）、１２…第１ガーゼ、１３…第２ガーゼ（通気性部材、通気性最内層）、１５…チューブ部材、１５ａ…吸引通路、２０…通路接続部材、２１…第１板材、２２…第１凹溝、２３…排気口、２３ａ…内部空間（排気通路）、２５…第２板材、２６…第２凹溝、２８…孔部、３０…水封部材（液体感知材料ブロック）、３０ａ…空間（排気通路）、３５…水封部材、４０…圧電ポンプ（陰圧源）、４０ａ…連通路、４１…底板部材、４１ａ…吸入口、４２…第１通路構成部材、４２ａ…第１吸入通路、４３…第１セパレータ、４３ａ…貫通孔、４４…下枠部材、４４ａ…貫通孔、４４ｂ…開口部、４５…ダイアフラム板、４５ａ…貫通孔、４６…上枠部材、４６ａ…貫通孔、４６ｂ…開口部、４７…第２セパレータ、４７ａ…貫通孔、４７ｂ…ブロア孔、４８…第２通路構成部材、４８ａ…第２吸入通路、４９…天板部材、５０…圧電素子、５５…吐出口、６０…駆動回路、６１…スイッチ、Ｃ…チューブ部材の放射中心。
【図１】
2018056060.tif 000003
【図２】
2018056060.tif 000004
【図３】
2018056060.tif 000005
【図４】
2018056060.tif 000006
【図５】
2018056060.tif 000007
【図６】
2018056060.tif 000008
【図７】
2018056060.tif 000009
【図８】
2018056060.tif 000010
【図９】
2018056060.tif 000011
【手続補正書】
【提出日】平成30年3月20日(2018.3.20)
【手続補正１】
【補正対象書類名】特許請求の範囲
【補正対象項目名】全文
【補正方法】変更
【補正の内容】
【特許請求の範囲】
【請求項１】
陰圧源と、
一方の面に粘着性を有する貼付部材と、
前記貼付部材の一方の面側に配置された通気性を有する通気性部材と、
前記貼付部材及び前記通気性部材の間に設けられる複数の吸引通路であって、各吸引通路の一方端が前記貼付部材と前記通気性部材によって形成される空間に連通する、前記複数の吸引通路と、
前記複数の吸引通路の他方端と前記陰圧源とを接続する排気通路とを備え、
前記複数の吸引通路のそれぞれには、通気性を有するとともに水分に触れることにより通気性が失われる水封部材が設けられており、
筺体と、前記筺体の内部に区画された前記排気通路と、前記排気通路と前記筺体の外部とを連通する複数の孔部と、を有する通路接続部材であって、前記複数の孔部には複数のチューブ部材がそれぞれ配設され、前記複数のチューブ部材の内部空間は、前記吸引通路を構成することを特徴とする、前記通路接続部材をさらに備えることを特徴とする陰圧閉鎖療法器具。
【請求項２】
前記複数の吸引通路は、所定の放射中心を中心として放射状に延びているとともに、各吸引通路の放射中心側の端部が前記排気通路に接続されており、
前記複数の吸引通路の前記所定の放射中心は、前記通気性部材の面に沿う所定方向において前記通気性部材の中心よりも一方側に寄った位置に位置していることを特徴とする請求項１に記載の陰圧閉鎖療法器具。
【請求項３】
前記通路接続部材は、
前記吸引通路より前記筺体に流入した空気を前記筺体の外へ排出するための排気口を有する第１板材と、当該第１板材に対向配置された第２板材とを備え、
前記第１板材には、前記排気通路と連続するように複数の第１凹溝が設けられており、
前記第２板材には、前記複数の第１凹溝とそれぞれ対向するように複数の第２凹溝が設けられており、
前記複数の第１凹溝と当該複数の第１凹溝に対向する前記複数の第２凹溝とによって、前記複数の孔部が構成されており、
前記水封部材は、前記複数の孔部に設けられている
ことを特徴とする請求項１又は２に記載の陰圧閉鎖療法器具。
【請求項４】
前記陰圧源は圧電ポンプであって、
前記圧電ポンプは、前記貼付部材と前記通気性部材との間に配置されている
ことを特徴とする請求項１〜３のいずれか一項に記載の陰圧閉鎖療法器具。
【請求項５】
前記水封部材は、吸水性高分子、ＰＶＡスポンジ、吸水性繊維、及び疎水性メンブレンから選ばれる少なくとも１つの材料で構成されていることを特徴とする請求項１〜４のいずれか一項に記載の陰圧閉鎖療法器具。
【請求項６】
前記通気性部材は、ガーゼで構成されている
ことを特徴とする請求項１〜５のいずれか一項に記載の陰圧閉鎖療法器具。
【手続補正２】
【補正対象書類名】明細書
【補正対象項目名】０００５
【補正方法】変更
【補正の内容】
【０００５】
上記課題を解決するため、本発明は、陰圧源と、一方の面に粘着性を有する貼付部材と、前記貼付部材の一方の面側に配置された通気性を有する通気性部材と、前記貼付部材及び前記通気性部材の間に設けられる複数の吸引通路であって、各吸引通路の一方端が前記貼付部材と前記通気性部材によって形成される空間に連通する、前記複数の吸引通路と、前記複数の吸引通路の他方端と前記陰圧源とを接続する排気通路とを備え、前記複数の吸引通路のそれぞれには、通気性を有するとともに水分に触れることにより通気性が失われる水封部材が設けられており、筺体と、前記筺体の内部に区画された前記排気通路と、前記排気通路と前記筺体の外部とを連通する複数の孔部と、を有する通路接続部材であって、前記複数の孔部には複数のチューブ部材がそれぞれ配設され、前記複数のチューブ部材の内部空間は、前記吸引通路を構成することを特徴とする、前記通路接続部材をさらに備える。
【手続補正３】
【補正対象書類名】明細書
【補正対象項目名】０００６
【補正方法】変更
【補正の内容】
【０００６】
上記の構成によれば、患部から滲みでた水分が吸引通路により吸引されると、その水分が当該吸引通路に設けられた水封部材に触れることになる。そして、水封部材が水分に触れることにより当該水封部材の通気性が失われて、その吸引通路を介しては空気を吸引しにくくなる。したがって、水分を吸引してしまった吸引通路から、それ以上水分が吸引されることを抑制できる。その結果、水分を分離して貯めておくための容器等の構成を設けなくても、ポンプ内に水分が流入することを抑制でき、ポンプの大型化を抑制できる。また、上記の構成によれば、通路接続部材の複数の孔部に複数のチューブ部材をそれぞれ配設するという比較的に単純な構造で、排気通路と複数の吸引通路との連通が実現できる。したがって、排気通路に連通する複数の吸引通路を備える陰圧閉鎖療法器具の製造コストがかさむことを抑制できる。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【国際調査報告】
2018056060.tif 000012
2018056060.tif 000013
2018056060.tif 000014
2018056060.tif 000015